(57)【要約】    【目的】  洗濯物を入れても外から見えず、しかも十分に乾燥させるこのできる視界遮蔽ネットを提供する。    【構成】  複数枚のネット体を積層した多重ネット構造体を用いて被視界遮蔽体を囲い込み又は収容し得る形状に製作され、上記多重ネット構造体の最外側のネット体の明度がその内側のネット体の明度より明るくすることを特徴とする視界遮蔽ネット。例えば、最外側のネット体を白色にするとともに、その内側のネット体を黒色にすることができる。    【選択図】  図３
0003105714.tif 000002
【実用新案登録請求の範囲】
【請求項１】
複数枚のネット体を積層した多重ネット構造体を用いて被視界遮蔽体を囲い込み又は収容し得る形状に製作され、上記多重ネット構造体の最外側のネット体の明度がその内側のネット体の明度より明るくなっていることを特徴とする視界遮蔽ネット。
【請求項２】
上記多重ネット構造体の最外側のネット体が白色、その内側のネット体が黒色である請求項１記載の視界遮蔽ネット。
【請求項３】
上記多重ネット構造体の少なくとも１つのネット体には光反射小箔が取り付けられている請求項１又は２記載の視界遮蔽ネット。
【請求項４】
上記多重ネット構造体が筒状又は袋状に制作され、該筒状又は袋状の開口が紐体によって、絞られるようになっている請求項１ないし３のいずれかに記載の視界遮蔽ネット。
【請求項５】
底面を開口した中空状の洗濯ネット本体の底部に底蓋ネットをファスナ−で着脱可能に取り付ける一方、上記洗濯ネット本体の底面開口の周縁に筒状のカバ−ネットを上記洗濯ネット本体内に収容し引き出し得るように取り付けた物干し兼用洗濯ネットにおいて、少なくとも上記洗濯ネット本体及びカバ−ネットが複数枚のネット体を積層した多重ネット構造体で構成され、上記多重ネット構造体の最外側のネットの明度がその外側のネットの明度より明るくなっていることを特徴とする物干し兼用洗濯ネット。
【考案の詳細な説明】
【技術分野】
【０００１】
この発明は視界遮蔽ネットに関し、特に洗濯物が外部から見えず、しかも十分に乾燥させることのできるようにしたネットに関する。
【背景技術】
【０００２】
例えば、女性が下着類を洗濯した場合、洗濯済みの下着類を物干しハンガ−等にかけて、そのまま屋外に干すのは心理的負担が大きいばかりでなく、風で下着類が飛ぶおそれがあり、さらには下着泥棒にあうおそれもある。
【０００３】
しかし、洗濯済みの下着類を部屋内に干すと、下着類が十分に乾燥しないばかりでなく、部屋内が湿気でじめじめとするおそれがある。
【０００４】
これに対し、洗濯済みの下着類を入れて干すことのできるようにした視界遮蔽ネットが提案されている（特許文献１）。
【特許文献１】特開２００１−２５２４９６号公報
【考案の開示】
【考案が解決しようとする課題】
【０００５】
しかし、上記特許文献１記載の視界遮蔽ネットではネットの目を大きくすると内部の下着類が外から見えてしまい、ネットの目を小さくすると内部の下着類に光や風があたらず、しかも風が通りにくく、十分に乾燥しないという問題があった。
【０００６】
本考案はかかる問題点に鑑み、洗濯済みの下着類を入れ干しても外から見えず、しかも十分に乾燥させることのできるようにした視界遮蔽ネットを提供することを課題とする。    
【課題を解決するための手段】
【０００７】
そこで、本考案に係る視界遮蔽ネットは、複数枚のネット体を積層した多重ネット構造体を用いて被視界遮蔽体を囲い込み又は収容し得る形状に製作され、上記多重ネット構造体の最外側のネット体の明度がその内側のネット体の明度より明るくなっていることを特徴とする。
【０００８】
本考案の特徴の１つは視界遮蔽ネットを多重ネット構造体で構成し、最外側のネットの明度を明るく、内側のネットの明度を黒くするようにした点にある。
【０００９】
これにより、多重ネット構造体のネットの目を多少大きくしても内側の黒っぽいネット体によって被視界遮蔽体が外側から見えにくくなる。その結果、例えば女性の下着類を屋外に干しても外側からはほとんど分からず、しかもネットの目を大きくできるので、太陽光に当てる事ができると共に風が通り、乾燥することができる。
【００１０】
また、視界遮蔽ネット内のものが外から見えにくいので、いわゆる下着泥棒にあうことはない。また、洗濯物を視界遮蔽ネットで囲み又は収容するので、風で洗濯物が飛ぶことはなく、又洗濯物にごみやほこりが付着することもない。
【００１１】
さらに、視界ネットを多重ネット構造体で構成しているので、少しの雨であっても洗濯物がぬれることはない。
【００１２】
多重ネット構造体は最外側のネットの明度が明るく、その内側のネットの明度が暗ければ色彩は特に限定されず、例えば最外側を白色、その内側を黒色とすることができる。
【００１３】
また、ネットはその明度差が重要であり、材質は特に限定されない。
【００１４】
また、視界遮蔽効果を確実に得る上で、多重ネット構造体の少なくとも１つのネットには光反射小箔、いわゆるラメを設けるのが好ましいことが本件考案者によって確認された
。
【００１５】
視界遮蔽ネットは被視界遮蔽体を取り囲み又は収容できる構造であればよい。例えば、多重ネット構造体を筒状又は袋状に製作し、該筒状又は袋状の開口を紐体によって絞れるようにすることができる。
【００１６】
また、本考案は物干しネットに適用すればその効果が大きいが、物干し兼用洗濯ネットに適用することもできる。即ち、本考案に係わる物干し兼用洗濯ネットは、底面を開口した中空状の洗濯ネット本体の底部に、底蓋ネットをファスナ−で着脱可能に取り付ける一方、上記洗濯ネット本体の底面開口の周縁に筒状のカバ−ネットを上記洗濯ネット本体内に収容し引き出し得るように取り付けた物干し兼用洗濯ネットにおいて、少なくとも上記洗濯ネット本体及びカバ−ネットが複数枚のネット体を積層した多重ネット構造体で構成され、上記多重ネット構造体の最外側のネットの明度がその外側のネットの明度より明るくなっていることを特徴とする。
【００１７】
以下、本考案を図面に示す具体例に基づいて詳細に説明する。図１ないし図３は本考案に係る視界遮蔽ネットの好ましい実施形態を示す。図において、視界遮蔽ネット１０は多重ネット構造体を用いて筒状に制作され、筒状の上下の開口部には紐挿通部４０が形成され、該紐挿通部４０には組紐体５０が挿通され、その両端部分は外方に引き出されており、紐５０を引っ張ることによって筒状の上下の開口部を絞れるようになっている。
【００１８】
また、多重ネット構造体は２枚のネット２０、３０を積層して構成され、外側のネット２０は白色の糸を用いて編まれ、内側のネット３０は黒色の糸３１の表面にアルミニウムの糸をラメで３２で合わせた糸を用いて編まれている。
【００１９】
本例の視界遮蔽ネット１０は図３に示されるように洗濯物（図示せず）を吊るした物干しハンガ−６０を視界遮蔽ネット１０内に入れ、上方の開口部４０の紐５０を引っ張って上方の開口部４０を絞り、物干しハンガ−６０を例えば物干し竿に吊り下げればよい。
【００２０】
すると、内側のラメ入りの黒いネット３０の作用によって、物干しハンガ−６０の洗濯物は外から見えず、女性は心理的な負担を感じることなく、屋外に例えば下着類を干すことができる。
【００２１】
また、洗濯物が視界遮蔽ネット１０でカバ−されているので、洗濯物にゴミやほこりが付着せず、又いわゆる下着泥棒にあうこともなく、さらには少しの雨では洗濯物がぬれることはない。
【００２２】
図４は第２の実施形態を示し、本例では視界遮蔽ネットを筒状ではなく、袋状に構成している。
【００２３】
図５及び図６は第３の実施形態を示し、これは物干し兼用洗濯ネットに適用した例である。本例の物干し兼用洗濯ネット１００は洗濯ネット本体１１０、底蓋ネット１２０及びカバ−ネット１３０から構成されている。
【００２４】
洗濯ネット本体１１０は底面の開口した中空状をなし、該洗濯ネット本体１１０には吊り下げ部１１１が上方に突出して取り付けられ、又洗濯ネット本体１１０の底面部外側には底蓋１２０が取付片１２２によって取り付けられ、底蓋１２０と洗濯ネット本体１１０とはファスナ−１２１によって開閉可能となっている。
【００２５】
また、洗濯ネット本体１１０の底部開口内縁にはカバ−ネット１３０が取付けられ、該カバ−ネット１３０は洗濯ネット本体１１０内に収容し、引き出せるようになっている。
【００２６】
そして、本例では洗濯ネット本体１１０及びカバ−ネット１３０が第一の実施形態における二重ネット構造体を用いて製作されている。
【００２７】
本例では、洗濯する場合には図５に示されるように底蓋１２０で洗濯ネット本体１１０の底部開口をふさげばよく、又洗濯物を干す場合にはカバ−ネット１３０を引き出して洗濯物をカバ−するようにすればよい。
【図面の簡単な説明】
【００２８】
【図１】本考案に係る視界遮蔽ネットの好ましい実施形態を示す図である。
【図２】上記実施形態における二重ネット構造体の構成を示す図である。
【図３】上記実施形態の使用例を示す図である。
【図４】第２の実施形態を示す図である。
【図５】第３の実施形態における洗濯時の状態を示す図である。
【図６】第３の実施形態における物干し時の状態を示す図である。
【符号の説明】
【００２９】
１０      視界遮蔽ネット
２０      外側ネット（最外側ネット）
３０      内側ネット
３２      ラメ
１００    物干し兼用洗濯ネット
１１０    洗濯ネット本体
１２０    底蓋
１３０    カバ−本体
【図１】
0003105714.tif 000003
【図２】
0003105714.tif 000004
【図３】
0003105714.tif 000005
【図４】
0003105714.tif 000006
【図５】
0003105714.tif 000007
【図６】
0003105714.tif 000008